(57)【特許請求の範囲】
【請求項１】
ワイヤレス通信の方法であって、
ユーザ機器（ＵＥ）のために構成されたチャネル状態情報基準信号（ＣＳＩ−ＲＳ）ポートの数を決定することと、
水平ポートおよび垂直ポートの両方を含む前記ＣＳＩ−ＲＳポートに応答して、
複数のプリコーディングマトリックスから、第１のプリコーディングマトリックスを決定することと、ここにおいて、前記複数のプリコーディングマトリックスは、水平プリコーディングマトリックスと垂直プリコーディングマトリックスとのクロネッカー積によって構築され、
前記第１のプリコーディングマトリックスの複数のプリコーディングベクトルの中から所定の数のプリコーディングベクトルを選択することと、
前記選択された所定の数のプリコーディングベクトルに基づいて、広帯域プリコーディングマトリックスを生成することと、
１つ以上のＣＳＩ報告を報告することと、ここにおいて、前記１つ以上のＣＳＩ報告は、前記第１のプリコーディングマトリックスのための少なくとも１つのプリコーディングマトリックスインジケータ（ＰＭＩ）と、前記所定の数のプリコーディングベクトルの選択の少なくとも表示とを含む、を備える、方法。
【請求項２】
前記ＣＳＩ−ＲＳポートは、水平ポートおよび垂直ポートの両方を含み、
前記方法は、
前記広帯域プリコーディングマトリックスについて、前記第１のプリコーディングマトリックスのプリコーディングベクトルの少なくとも４つの列を選択することをさらに含み、ここにおいて、前記選択することは、所定の列ペア組み合わせに基づく、請求項１に記載の方法。
【請求項３】
前記ＣＳＩ−ＲＳポートは、水平ポートおよび垂直ポートの両方を含み、
前記方法は、
前記広帯域プリコーディングマトリックスについて、前記選択された所定の数のプリコーディングベクトルに対して、同一のまたは異なる仰角ビームフォーミングのうちの１つを使用することをさらに含む、請求項１または２に記載の方法。
【請求項４】
前記ＣＳＩ−ＲＳポートは、水平ポートおよび垂直ポートの両方を含み、
前記方法は、
基地局による複数の送信に関連付けられた複数のレイヤについて、前記広帯域プリコーディングマトリックスの中から１つ以上のビームを選択することと、
サブ帯域プリコーディングマトリックスについて、前記選択された少なくとも２つのビームの偏波間で、相対的位相シフトを調整することと、
前記基地局にサブ帯域ＰＭＩを報告することと、ここで、前記サブ帯域ＰＭＩは、異なるレイヤに対する、および異なる偏波に対する前記サブ帯域プリコーディングマトリックスを構築するために、１つ以上のビームの選択を定義する、をさらに含む、請求項１ないし３のうちのいずれか１つに記載の方法。
【請求項５】
ワイヤレス通信のために構成された装置であって、
ユーザ機器（ＵＥ）のために構成されたチャネル状態情報基準信号（ＣＳＩ−ＲＳ）ポートの数を決定するための手段と、
水平ポートおよび垂直ポートの両方を含む前記ＣＳＩ−ＲＳポートに応答して実施可能であり、
複数のプリコーディングマトリックスから、第１のプリコーディングマトリックスを決定し、ここにおいて、前記複数のプリコーディングマトリックスは、水平プリコーディングマトリックスと垂直プリコーディングマトリックスとのクロネッカー積によって構築され、
前記第１のプリコーディングマトリックスの複数のプリコーディングベクトルの中から所定の数のプリコーディングベクトルを選択し、
前記選択された所定の数のプリコーディングベクトルに基づいて、広帯域プリコーディングマトリックスを生成し、
１つ以上のＣＳＩ報告を報告するための手段、ここにおいて、前記１つ以上のＣＳＩ報告は、前記第１のプリコーディングマトリックスのための少なくとも１つのプリコーディングマトリックスインジケータ（ＰＭＩ）と、前記所定の数のプリコーディングベクトルの選択の少なくとも表示とを含む、を備える、装置。
【請求項６】
前記ＣＳＩ−ＲＳポートは、水平ポートおよび垂直ポートの両方を含み、
前記装置は、
前前記広帯域プリコーディングマトリックスについて、前記第１のプリコーディングマトリックスのプリコーディングベクトルの少なくとも４つの列を選択するための手段をさらに含み、ここにおいて、前記選択するための手段は、所定の列ペア組み合わせに基づく、請求項５に記載の装置。
【請求項７】
前記ＣＳＩ−ＲＳポートは、水平ポートおよび垂直ポートの両方を含み、
前記装置は、
前記広帯域プリコーディングマトリックスについて、前記選択された所定の数のプリコーディングベクトルに対して、同一のまたは異なる仰角ビームフォーミングのうちの１つを使用するための手段をさらに含む、請求項５または６に記載の装置。
【請求項８】
前記ＣＳＩ−ＲＳポートは、水平ポートおよび垂直ポートの両方を含み、
前記装置は、
基地局による複数の送信に関連付けられた複数のレイヤについて、前記広帯域プリコーディングマトリックスの中から１つ以上のビームを選択するための手段と、
サブ帯域プリコーディングマトリックスについて、前記選択された少なくとも２つのビームの偏波間で、相対的位相シフトを調整するための手段と、
前記基地局にサブ帯域ＰＭＩを報告するための手段と、ここで、前記サブ帯域ＰＭＩは、異なるレイヤに対する、および異なる偏波に対する前記サブ帯域プリコーディングマトリックスを構築するために、１つ以上のビームの選択を定義する、をさらに含む、請求項５ないし７のうちのいずれか１つに記載の装置。
【請求項９】
媒体に記録されたプログラムコードを有する非一時的コンピュータ可読媒体であって、
前記プログラムコードは、
コンピュータに、ユーザ機器（ＵＥ）のために構成されたチャネル状態情報基準信号（ＣＳＩ−ＲＳ）ポートの数を決定するようにさせるためのプログラムコードと、
水平ポートおよび垂直ポートの両方を含む前記ＣＳＩ−ＲＳポートに応答して、
前記コンピュータに、複数のプリコーディングマトリックスから、第１のプリコーディングマトリックスを決定するようにさせ、ここにおいて、前記複数のプリコーディングマトリックスは、水平プリコーディングマトリックスと垂直プリコーディングマトリックスとのクロネッカー積によって構築され、
前記コンピュータに、前記第１のプリコーディングマトリックスの複数のプリコーディングベクトルの中から所定の数のプリコーディングベクトルを選択するようにさせるためのプログラムコードと、
前記選択された所定の数のプリコーディングベクトルに基づいて、前記コンピュータに、広帯域プリコーディングマトリックスを生成するようにさせ、
前記コンピュータに、１つ以上のＣＳＩ報告を報告するようにさせるためのプログラムコード、ここにおいて、前記１つ以上のＣＳＩ報告は、前記第１のプリコーディングマトリックスのための少なくとも１つのプリコーディングマトリックスインジケータ（ＰＭＩ）と、前記所定の数のプリコーディングベクトルの選択の少なくとも表示とを含む、を備える、非一時的コンピュータ可読媒体。
【請求項１０】
前記ＣＳＩ−ＲＳポートは、水平ポートおよび垂直ポートの両方を含み、
前記プログラムコードは、
前記コンピュータに、前記広帯域プリコーディングマトリックスについて、前記第１のプリコーディングマトリックスのプリコーディングベクトルの少なくとも４つの列を選択するようにさせるためのプログラムコードをさらに含み、ここにおいて、前記コンピュータに、前記選択させるためのプログラムコードは、所定の列ペア組み合わせに基づく、請求項９に記載の非一時的コンピュータ可読媒体。
【請求項１１】
前記ＣＳＩ−ＲＳポートは、水平ポートおよび垂直ポートの両方を含み、
前記プログラムコードは、
前記コンピュータに、前記広帯域プリコーディングマトリックスについて、前記選択された所定の数のプリコーディングベクトルに対して、同一のまたは異なる仰角ビームフォーミングのうちの１つを使用するようにさせるためのプログラムコードをさらに含む、請求項９または１０に記載の非一時的コンピュータ可読媒体。
【請求項１２】
前記ＣＳＩ−ＲＳポートは、水平ポートおよび垂直ポートの両方を含み、
前記プログラムコードは、
前記コンピュータに、基地局による複数の送信に関連付けられた複数のレイヤについて、前記広帯域プリコーディングマトリックスの中から１つ以上のビームを選択するようにさせるためのプログラムコードと、
前記コンピュータに、サブ帯域プリコーディングマトリックスについて、前記選択された少なくとも２つのビームの偏波間で、相対的位相シフトを調整するようにさせるためのプログラムコードと、
前記コンピュータに、前記基地局にサブ帯域ＰＭＩを報告するようにさせるためのプログラムコードと、ここで、前記サブ帯域ＰＭＩは、異なるレイヤに対する、および異なる偏波に対する前記サブ帯域プリコーディングマトリックスを構築するために、１つ以上のビームの選択を定義する、をさらに含む、請求項９ないし１１のうちのいずれか１つに記載の非一時的コンピュータ可読媒体。
【請求項１３】
ワイヤレス通信のために構成された装置であって、
前記装置は、
少なくとも１つのプロセッサと、
前記少なくとも１つのプロセッサに結合されたメモリとを備え、
ここにおいて、前記少なくとも１つのプロセッサは、
ユーザ機器（ＵＥ）のために構成されたチャネル状態情報基準信号（ＣＳＩ−ＲＳ）ポートの数を決定するように構成され、
水平ポートおよび垂直ポートの両方を含む前記ＣＳＩ−ＲＳポートに応答して、
前記少なくとも１つのプロセッサは、
複数のプリコーディングマトリックスから、第１のプリコーディングマトリックスを決定し、ここにおいて、前記複数のプリコーディングマトリックスは、水平プリコーディングマトリックスと垂直プリコーディングマトリックスとのクロネッカー積によって構築され、
前記第１のプリコーディングマトリックスの複数のプリコーディングベクトルの中から所定の数のプリコーディングベクトルを選択し、
前記選択された所定の数のプリコーディングベクトルに基づいて、広帯域プリコーディングマトリックスを生成し、
１つ以上のＣＳＩ報告を報告する、ここにおいて、前記１つ以上のＣＳＩ報告は、前記第１のプリコーディングマトリックスのための少なくとも１つのプリコーディングマトリックスインジケータ（ＰＭＩ）と、前記所定の数のプリコーディングベクトルの選択の少なくとも表示とを含む、ようにさらに構成される、装置。
【請求項１４】
前記ＣＳＩ−ＲＳポートは、水平ポートおよび垂直ポートの両方を含み、
前記装置は、
前記少なくとも１つのプロセッサが、前記広帯域プリコーディングマトリックスについて、前記第１のプリコーディングマトリックスのプリコーディングベクトルの少なくとも４つの列を選択するような構成をさらに含み、ここにおいて、前記選択は、所定の列ペア組み合わせに基づく、請求項１３に記載の装置。
【請求項１５】
前記ＣＳＩ−ＲＳポートは、水平ポートおよび垂直ポートの両方を含み、
前記装置は、
前記少なくとも１つのプロセッサが、前記広帯域プリコーディングマトリックスについて、前記選択された所定の数のプリコーディングベクトルに対して、同一のまたは異なる仰角ビームフォーミングのうちの１つを使用するような構成をさらに含む、請求項１３または１４に記載の装置。
【請求項１６】
前記ＣＳＩ−ＲＳポートは、水平ポートおよび垂直ポートの両方を含み、
前記装置は、
前記少なくとも１つのプロセッサが、
基地局による複数の送信に関連付けられた複数のレイヤについて、前記広帯域プリコーディングマトリックスの中から１つ以上のビームを選択し、
サブ帯域プリコーディングマトリックスについて、前記選択された少なくとも２つのビームの偏波間で、相対的位相シフトを調整し
前記基地局にサブ帯域ＰＭＩを報告するような構成をさらに含み、ここで、前記サブ帯域ＰＭＩは、異なるレイヤに対する、および異なる偏波に対する前記サブ帯域プリコーディングマトリックスを構築するために、１つ以上のビームの選択を定義する、請求項１３ないし１５のうちのいずれか１つに記載の装置。
【発明の詳細な説明】
【分野】
【０００１】
[0001]本出願は、２０１５年５月１５日に出願された「ＦＤ−ＭＩＭＯのための増強されたＣＳＩプロシージャ」と題されたＰＣＴ出願番号ＰＣＴ／ＣＮ２０１５／０７９０７８の優先権を主張する。本開示の態様は、一般的に、ワイヤレス通信システムに関係し、より具体的には、全次元多入力、多出力（ＭＩＭＯ）システムのための増強されたチャネル状態情報（ＣＳＩ）プロシージャに関係する。
【背景】
【０００２】
[0002]ワイヤレス通信ネットワークは、音声、ビデオ、パケットデータ、メッセージング、ブロードキャスト、等のような、様々な通信サービスを提供するために広く展開されている。これらのワイヤレスネットワークは、利用可能なネットワークリソースを共有することによって、複数のユーザをサポートすることが可能な多元接続ネットワークであり得る。そのような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ（登録商標））ネットワーク、およびシングルキャリアＦＤＭＡ（ＳＣ−ＦＤＭＡ）ネットワークを含む。
【０００３】
[0003]ワイヤレス通信ネットワークは、多数のユーザ機器（ＵＥ）のための通信をサポートできる多数の基地局またはノードＢを含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。
【０００４】
[0004]基地局は、ダウンリンク上でＵＥにデータおよび制御情報を送信し、および／または、アップリンク上でＵＥからデータおよび制御情報を受信し得る。ダウンリンク上で、基地局からの送信は、隣接基地局からの、または他のワイヤレス無線周波数（ＲＦ）送信機からの送信に起因した干渉に遭遇し得る。アップリンク上で、ＵＥからの送信は、隣接基地局と通信している他のＵＥのアップリンク送信からの、または他のワイヤレスＲＦ送信機からの干渉に遭遇し得る。この干渉は、ダウンリンクおよびアップリンクの両方上で性能を劣化させ得る。
【０００５】
[0005]モバイルブロードバンドアクセスに対する需要が増加し続けるにつれて、より多くのＵＥが長距離ワイヤレス通信ネットワークにアクセスし、より多くの短距離ワイヤレスシステムがコミュニティ中で展開されるとともに、干渉および輻輳（congested）ネットワークの可能性が高まる。モバイルブロードバンドアクセスに対する高まる需要を満たすためだけでなく、モバイル通信のユーザ経験を進展および増強させるためにも、研究および開発は通信技術を進展させ続けている。
【概要】
【０００６】
[0006]本開示の１つの態様において、ワイヤレス通信の方法は、ＵＥのために構成されたチャネル状態情報基準信号（ＣＳＩ−ＲＳ）ポートの数を決定することと、水平ポートおよび垂直ポートの両方を含むＣＳＩ−ＲＳポートに応答して、複数のプリコーディングマトリックスから、第１のプリコーディングマトリックスを決定することと、ここにおいて、複数のプリコーディングマトリックスは、水平プリコーディングマトリックスと垂直プリコーディングマトリックスとのクロネッカー積によって構築され、複数のプリコーディングマトリックスの第１のプリコーディングマトリックスの中から所定の数のプリコーディングベクトルを選択することと、選択された所定の数のプリコーディングベクトルに基づいて、広帯域プリコーディングマトリックスを生成することと、１つ以上のチャネル状態情報（ＣＳＩ）報告を報告することと、ここにおいて、１つ以上のＣＳＩ報告は、第１のプリコーディングマトリックスのための少なくとも１つのプリコーディングマトリックスインジケータ（ＰＭＩ）と、所定の数のプリコーディングベクトルの選択の少なくとも表示とを含む、を含む。
【０００７】
[0007]本開示の追加的態様において、ワイヤレス通信のために構成された装置は、ＵＥのために構成されたＣＳＩ−ＲＳポートの数を決定するための手段と、水平ポートおよび垂直ポートの両方を含むＣＳＩ−ＲＳポートに応答して実施可能な、複数のプリコーディングマトリックスから、第１のプリコーディングマトリックスを決定し、ここにおいて、複数のプリコーディングマトリックスは、水平プリコーディングマトリックスと垂直プリコーディングマトリックスとのクロネッカー積によって構築され、複数のプリコーディングマトリックスの第１のプリコーディングマトリックスの中から所定の数のプリコーディングベクトルを選択し、選択された所定の数のプリコーディングベクトルに基づいて、広帯域プリコーディングマトリックスを生成し、１つ以上のＣＳＩ報告を報告するための手段、ここにおいて、１つ以上のＣＳＩ報告は、第１のプリコーディングマトリックスのための少なくとも１つのＰＭＩと、所定の数のプリコーディングベクトルの選択の少なくとも表示とを含む、を含む。
【０００８】
[0008]本開示の追加的態様において、非一時的コンピュータ可読媒体は、媒体に記録されたプログラムコードを有する。プログラムコードは、ＵＥのために構成されたＣＳＩ−ＲＳポートの数を決定するためのコードと、水平ポートおよび垂直ポートの両方を含むＣＳＩ−ＲＳポートに応答して実施可能な、複数のプリコーディングマトリックスから、第１のプリコーディングマトリックスを決定し、ここにおいて、複数のプリコーディングマトリックスは、水平プリコーディングマトリックスと垂直プリコーディングマトリックスとのクロネッカー積によって構築され、複数のプリコーディングマトリックスの第１のプリコーディングマトリックスの中から所定の数のプリコーディングベクトルを選択し、選択された所定の数のプリコーディングベクトルに基づいて、広帯域プリコーディングマトリックスを生成し、１つ以上のＣＳＩ報告を報告するためのコード、ここにおいて、１つ以上のＣＳＩ報告は、第１のプリコーディングマトリックスのための少なくとも１つのＰＭＩと、所定の数のプリコーディングベクトルの選択の少なくとも表示とをさらに含む、を含む。
【０００９】
[0009]本開示の追加的態様において、ワイヤレス通信のために構成される装置が開示される。装置は、少なくとも１つのプロセッサと、プロセッサに結合されたメモリとを含む。プロセッサは、ＵＥのために構成されたＣＳＩ−ＲＳポートの数を決定するように構成され、水平ポートおよび垂直ポートの両方を含むＣＳＩ−ＲＳポートに応答して、複数のプリコーディングマトリックスから、第１のプリコーディングマトリックスを決定し、ここにおいて、複数のプリコーディングマトリックスは、水平プリコーディングマトリックスと垂直プリコーディングマトリックスとのクロネッカー積によって構築され、複数のプリコーディングマトリックスの第１のプリコーディングマトリックスの中から所定の数のプリコーディングベクトルを選択し、選択された所定の数のプリコーディングベクトルに基づいて、広帯域プリコーディングマトリックスを生成し、１つ以上のＣＳＩ報告を報告するように少なくとも１つのプロセッサがさらに構成され、ここにおいて、１つ以上のＣＳＩ報告は、第１のプリコーディングマトリックスのための少なくとも１つのＰＭＩと、所定の数のプリコーディングベクトルの選択の少なくとも表示とをさらに含む。
【００１０】
[0010]前記は、以下の詳細な説明がより良く理解され得るように、本出願の特徴および技術的利点を、やや広く、概説している。追加的特徴および利点は、以下に説明され、本特許請求の範囲の主題を形成するであろう。開示された概念および特定の態様が、本出願と同じ目的を実行するための他の構造を修正または設計するための基礎として容易に利用され得ることは、当業者によって認識されるべきである。また、そのような等価の構築が、本出願および添付された特許請求の範囲の精神および範囲から逸脱しないことも、当業者によって理解されるべきである。さらなる目的および利点とともに、その編成および動作の方法の両方に関して、態様の特徴であると考えられる新規の特徴は、添付図面に関連して考慮されるとき、以下の説明からより良く理解されるであろう。しかしながら、図の各々は、例証および説明の目的でのみ提供され、本特許請求の範囲の限定の定義として意図されないことが明確に理解されるべきである。
【図面の簡単な説明】
【００１１】
【図１】[0011]図１は、テレコミュニケーションシステムの例を例証するブロック図である。
【図２】[0012]図２は、テレコミュニケーションシステムにおけるダウンリンクフレーム構造の例を例証するブロック図である。
【図３】[0013]図３は、本開示の一態様に従って構成された基地局およびＵＥの設計を例証するブロック図である。
【図４】[0014]図４は、例示的な２次元アクティブアンテナアレイのブロック図である。
【図５】[0015]図５は、本開示の１つの態様を実装するために実施される例となるブロックを例証するブロック図である。
【図６Ａ】[0016]図６Ａは、本開示の態様に従って構成される、ｋ個の素子のビームフォーマを例証するブロック図である。
【図６Ｂ】図６Ｂは、本開示の態様に従って構成される、ｋ個の素子のビームフォーマを例証するブロック図である。
【図６Ｃ】図６Ｃは、本開示の態様に従って構成される、ｋ個の素子のビームフォーマを例証するブロック図である。
【図７】[0017]図７は、本開示の１つの態様を実装するために実施される例となるブロックを例証するブロック図である。
【図８】[0018］図８は、本開示の１つの態様に従って構成される基地局およびＵＥを例証するブロック図である。
【図９】[0019]図９は、本開示の１つの態様に従って構成される基地局およびＵＥを例証するブロック図である。
【図１０】[0020]図１０は、本開示の１つの態様に従って構成されるＵＥおよび基地局を例証するブロック図である。
【図１１】[0021]図１１は、本開示の１つの態様を実装するために実施される例となるブロックを例証するブロック図である。
【発明の詳細な説明】
【００１２】
[0022]添付された図面に関連して、以下に記載の詳細な説明は、様々な構成の説明として意図され、本明細書に説明される概念が実現され得る唯一の構成を表示するようには意図されない。詳細な説明は、様々な概念の完全な理解を提供する目的のために具体的な詳細を含む。しかしながら、これらの概念がこれらの具体的な詳細なしに実現され得ることが当業者にとって明らかになるであろう。いくつかの事例において、そのような概念をあいまいにすることを避けるために、よく知られた構造およびコンポーネントがブロック図形式で示される。
【００１３】
[0023]本明細書において説明される技法は、ＣＤＭＡ、ＴＤＭＡ、ＦＤＭＡ、ＯＦＤＭＡ、ＳＣ−ＦＤＭＡおよび他のネットワークのような様々なワイヤレス通信ネットワークに対して使用され得る。用語「ネットワーク」および「システム」は、しばしば交換可能に使用される。ＣＤＭＡネットワークは、ユニバーサル地上無線アクセス（ＵＴＲＡ）、ＣＤＭＡ２０００、等のような無線技術を実装し得る。ＵＴＲＡは、広帯域ＣＤＭＡ（Ｗ−ＣＤＭＡ（登録商標））およびＣＤＭＡの他の変形を含む。ＣＤＭＡ２０００は、ＩＳ−２０００、ＩＳ−９５およびＩＳ−８５６標準規格をカバーする。ＴＤＭＡネットワークは、移動体通信のための全世界システム（ＧＳＭ（登録商標））のような無線技術を実装し得る。ＯＦＤＭＡネットワークは、発展型ＵＴＲＡ（Ｅ−ＵＴＲＡ）、ウルトラモバイルブロードバンド（ＵＭＢ）、ＩＥＥＥ ８０２．１１（Ｗｉ−Ｆｉ（登録商標））、ＩＥＥＥ ８０２．１６（ＷｉＭＡＸ（登録商標））、ＩＥＥＥ ８０２．２０、フラッシュ−ＯＦＤＭＡ、等のような無線技術を実装し得る。ＵＴＲＡおよびＥ−ＵＴＲＡは、ユニバーサルモバイルテレコミュニケーションシステム（ＵＭＴＳ）の一部である。３ＧＰＰ（登録商標）ロングタームエボリューション（ＬＴＥ（登録商標））およびＬＴＥ−アドバンスト（ＬＴＥ−Ａ）は、Ｅ−ＵＴＲＡを使用するＵＭＴＳの新リリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）という名称の団体からの文書中において説明されている。ＣＤＭＡ２０００およびＵＭＢは、「第３世代パートナーシッププロジェクト２」（３ＧＰＰ２）と名づけられた組織からの文書において説明されている。本明細書において説明される技法は、上述されたワイヤレスネットワークおよび無線技術のみならず、他のワイヤレスネットワークおよび無線技術のために使用され得る。明確さのために、技法のある態様は、ＬＴＥに関して以下に説明され、また、以下の説明の多くで、ＬＴＥ用語が使用されている。
【００１４】
[0024]図１は、ＬＴＥネットワークであり得るワイヤレス通信ネットワーク１００を指し示す。ワイヤレスネットワーク１００は、多数のｅＮＢ１１０および他のネットワークエンティティを含み得る。ｅＮＢは、ＵＥと通信する局であり得、また、基地局、ノードＢ、アクセスポイントと、または他の用語で引用され得る。各ｅＮＢ１１０ａ、１１０ｂ、１１０ｃは、特定の地理的エリアのための通信カバレッジを提供し得る。３ＧＰＰにおいて、用語「セル」は、この用語が使用されるコンテキストに依存して、ｅＮＢのカバレッジエリアおよび／またはこのカバレッジエリアにサービス提供するｅＮＢサブシステムを指すことができる。
【００１５】
[0025]ｅＮＢは、マクロセル、ピコセル、フェムトセル、および／または他のタイプのセルに対して通信カバレッジを提供し得る。マクロセルは、比較的大きな地理的エリア（例えば、半径数キロメートル）をカバーし、サービス加入しているＵＥによる制限されていないアクセスを可能にし得る。ピコセルは、比較的小さな地理的エリアをカバーし、サービス加入しているＵＥによる制限されていないアクセスを可能にし得る。フェムトセルは、比較的小さな地理的エリア（例えば、家）をカバーし、このフェムトセルとの関連付けを有するＵＥ（例えば、クローズド加入者グループ（ＣＳＧ）中におけるＵＥ、家の中にいるユーザのためのＵＥ、等）による制限されたアクセスを可能にし得る。マクロセルのためのｅＮＢは、マクロｅＮＢと称され得る。ピコセルのためのｅＮＢは、ピコｅＮＢと称され得る。フェムトセルのためのｅＮＢは、フェムトｅＮＢまたはホームｅＮＢ（ＨｅＮＢ）と称され得る。図１に指し示される例において、ｅＮＢ１１０ａ、１１０ｂ、および１１０ｃはそれぞれ、マクロセル１０２ａ、１０２ｂ、および１０２ｃのためのマクロｅＮＢであり得る。ｅＮＢ１１０ｘは、ＵＥ１２０ｘにサービス提供するピコセル１０２ｘのためのピコｅＮＢであり得る。ｅＮＢ１１０ｙおよび１１０ｚは、それぞれフェムトセル１０２ｙおよび１０２ｚのためのフェムトｅＮＢであり得る。ｅＮＢは、１つまたは複数の（例えば、３つの）セルをサポートし得る。
【００１６】
[0026]ワイヤレスネットワーク１００はまた、中継局１１０ｒを含み得る。中継局は、アップストリーム局（例えば、ｅＮＢまたはＵＥ）からデータおよび／または他の情報の送信を受信し、ダウンストリーム局（例えば、ＵＥまたはｅＮＢ）にデータおよび／または他の情報の送信を送る局である。中継局はまた、他のＵＥに対する送信を中継するＵＥであり得る。図１で差し示される例において、中継局１１０ｒは、ｅＮＢ１１０ａとＵＥ１２０ｒとの間の通信を容易にするために、ｅＮＢ１１０ａおよびＵＥ１２０ｒと通信し得る。中継局はまた、中継ｅＮＢ、リレー、等と称され得る。
【００１７】
[0027]ワイヤレスネットワーク１００は、異なるタイプのｅＮＢ、例えば、マクロｅＮＢ、ピコｅＮＢ、フェムトｅＮＢ、リレー、等を含む異種ネットワークであり得る。これらの異なるタイプのｅＮＢは、ワイヤレスネットワーク１００において、異なる送信電力レベル、異なるカバレッジエリア、および干渉に対する異なる影響を有し得る。例えば、マクロｅＮＢは、高い送信電力レベル（例えば２０ワット）を有し得、一方ピコｅＮＢ、フェムトｅＮＢおよびリレーは、より低い送信電力レベル（例えば１ワット）を有し得る。
【００１８】
[0028]ワイヤレスネットワーク１００は、同期または非同期動作をサポートし得る。同期動作について、ｅＮＢは同様のフレームタイミングを有し、異なるｅＮＢからの送信は時間的にほぼ揃えられ得る。非同期動作について、ｅＮＢは異なるフレームタイミングを有することがあり得、異なるｅＮＢからの送信は時間的に揃えられないことがあり得る。本明細書において説明される技法は、同期および非同期動作の両方に対して使用され得る。
【００１９】
[0029]ネットワークコントローラ１３０は、ｅＮＢのセットに結合し、これらのｅＮＢに対して調整および制御を提供し得る。ネットワークコントローラ１３０は、バックホールを介してｅＮＢ１１０と通信し得る。ｅＮＢ１１０はまた、例えば、ワイヤレスまたはワイヤラインバックホールを介して、直接的または間接的に互いに通信し得る。
【００２０】
[0030]ＵＥ１２０は、ワイヤレスネットワーク１００全体にわたって分散され得、各ＵＥは、固定式または移動式であり得る。ＵＥはまた、端末、モバイル局、加入者ユニット、局、等とも称され得る。ＵＥは、セルラフォン、携帯情報端末（ＰＤＡ）、ワイヤレスモデム、ワイヤレス通信デバイス、ハンドヘルドデバイス、ラップトップコンピュータ、コードレスフォン、スマートフォン、タブレット、ワイヤレスローカルループ（ＷＬＬ）局、または他の移動エンティティであり得る。ＵＥは、マクロｅＮＢ、ピコｅＮＢ、フェムトｅＮＢ、リレー、または他のネットワークエンティティと通信し得る。図１において、両矢印を有する実線は、ＵＥとサービス提供するｅＮＢとの間での所望の送信を示し、サービス提供するｅＮＢは、ダウンリンクおよび／またはアップリンク上においてＵＥにサービス提供するように指定されたｅＮＢである。両矢印を有する破線は、ＵＥとｅＮＢとの間での干渉する送信を示す。
【００２１】
[0031]ＬＴＥは、ダウンリンク上では直交周波数分割多重化（ＯＦＤＭ）を、そしてアップリンク上ではシングルキャリア周波数分割多重化（ＳＣ−ＦＤＭ）を利用する。ＯＦＤＭおよびＳＣ−ＦＤＭは、システム帯域幅を複数（Ｋ個）の直交サブキャリアに区分し、これらはまた、一般に、トーン、ビン等と称される。各サブキャリアは、データを用いて変調され得る。一般に、変調シンボルは、ＯＦＤＭを用いて周波数ドメインで、そして、ＳＣ−ＦＤＭを用いて時間ドメインで送られる。隣接するサブキャリア間の間隔は固定され、サブキャリアの総数（Ｋ個）は、システム帯域幅に依存し得る。例えば、Ｋは、それぞれ１．２５、２．５、５、１０または２０メガヘルツ（ＭＨｚ）のシステム帯域幅について、１２８、２５６、５１２、１０２４または２０４８に等しくあり得る。システム帯域幅はまた、サブ帯域中に区分され得る。例えば、サブ帯域は、１.０８ＭＨｚをカバーし得、そして、それぞれ１．２５、２．５、５、１０または２０ＭＨｚのシステム帯域幅について、１、２、４、８または１６個のサブ帯域が存在し得る。
【００２２】
[0032]図２は、ＬＴＥにおいて使用されるダウンリンクフレーム構造を指し示す。ダウンリンクのための送信タイムラインは、無線フレームの単位中に区分され得る。各無線フレームは、所定の持続時間（例えば、１０ミリ秒（ｍｓ））を有し、０〜９のインデックスを有する１０個のサブフレームに区分され得る。各サブフレームは、２つのスロットを含み得る。各無線フレームは、よって、０〜１９のインデックスを有する２０個のスロットを含み得る。各スロットは、Ｌ個のシンボル期間、例えば、図２に指し示されるようなノーマルサイクリックプリフィックス（ＣＰ）については７個のシンボル期間を、または、拡張サイクリックプリフィックスについては６個のシンボル期間を含み得る。本明細書において、ノーマルＣＰと拡張ＣＰは、異なるＣＰタイプとして称され得る。各サブフレームにおける２Ｌ個のシンボル期間は、０〜２Ｌ−１のインデックスが割り当てられ得る。利用可能な時間周波数リソースは、リソースブロック中に区分され得る。各リソースブロックは、１つのスロット中のＮ個のサブキャリア（例えば、１２個のサブキャリア）をカバーし得る。
【００２３】
[0033]ＬＴＥにおいて、ｅＮＢ中の各セルに対して、ｅＮＢは、プライマリ同期信号（ＰＳＳ）およびセカンダリ同期信号（ＳＳＳ）を送り得る。プライマリ同期信号およびセカンダリ同期信号は、図２において指し示されるように、ノーマルサイクリックプリフィックスを有する各無線フレームのサブフレーム０および５の各々中のシンボル期間６および５において、それぞれ、送られ得る。同期信号は、セル検出および獲得のために、ＵＥによって使用され得る。ｅＮＢは、サブフレーム０のスロット１中のシンボル期間０〜３内において、物理ブロードキャストチャネル（ＰＢＣＨ）を送り得る。ＰＢＣＨは、ある特定のシステム情報を搬送し得る。
【００２４】
[0034]図２中の第１のシンボル期間全体において描写されているが、ｅＮＢは、各サブフレームの第１のシンボル期間の一部だけで物理制御フォーマットインジケータチャネル（ＰＣＦＩＣＨ）を送り得る。ＰＣＦＩＣＨは、制御チャネルに対して使用されるシンボル期間の数（Ｍ個）を搬送し、ここで、Ｍは、１、２または３に等しく、サブフレーム毎に変化し得る。Ｍはまた、例えば、１０個未満のリソースブロックを有する小さなシステム帯域幅に対して、４に等しくなり得る。図２に差し示された例において、Ｍ＝３である。ｅＮＢは、各サブフレームの第１のＭシンボル期間において、物理ＨＡＲＱインジケータチャネル（ＰＨＩＣＨ）と物理ダウンリンク制御チャネル（ＰＤＣＣＨ）を送信し得る（図２においてＭ＝３）。ＰＨＩＣＨは、ハイブリッド自動再送信（ＨＡＲＱ）をサポートするために情報を搬送し得る。ＰＤＣＣＨは、ＵＥに対するリソース割り振りに関する情報と、ダウンリンクチャネルのための制御情報とを搬送し得る。図２における第１のシンボル期間には差し示されていないが、ＰＤＣＣＨとＰＨＩＣＨはまた、第１のシンボル期間中に含まれることが理解される。同様に、ＰＨＩＣＨおよびＰＤＣＣＨもまた、図２に差し示されていないが、第２および第３のシンボル期間の両方に含まれる。ｅＮＢは、各サブフレームの残りのシンボル期間において、物理ダウンリンク共有チャネル（ＰＤＳＣＨ）を送り得る。ＰＤＳＣＨは、ダウンリンク上におけるデータ送信のためにスケジュールされたＵＥのためのデータを搬送し得る。ＬＴＥにおける様々な信号およびチャネルは、「発展型ユニバーサル地上無線アクセス（Evolved Universal Terrestrial Radio Access）（Ｅ−ＵＴＲＡ）；物理チャネルおよび変調（Physical Channels and Modulation）」と題された、３ＧＰＰ ＴＳ ３６．２１１内に説明されており、これは、公に入手可能である。
【００２５】
[0035]ｅＮＢは、ｅＮＢによって使用されるシステム帯域幅の中心１．０８ＭＨｚにおいて、ＰＳＳ、ＳＳＳ、およびＰＢＣＨを送り得る。ｅＮＢは、ＰＣＦＩＣＨおよびＰＨＩＣＨを、これらのチャネルが送られる各シンボル期間において、システム帯域幅全体にわたって送り得る。ｅＮＢは、システム帯域幅のある特定の部分において、ＵＥのグループにＰＤＣＣＨを送り得る。ｅＮＢは、システム帯域幅の特定の部分において、特定のＵＥにＰＤＳＣＨを送り得る。ｅＮＢは、全てのＵＥにブロードキャスト方法でＰＳＳ、ＳＳＳ、ＰＢＣＨ、ＰＣＦＩＣＨおよびＰＨＩＣＨを送信し得、特定のＵＥにユニキャスト方法でＰＤＣＣＨを送信し得、および特定のＵＥにユニキャスト方法でＰＤＳＣＨも送り得る。
【００２６】
[0036]多数のリソース要素が、各シンボル期間において利用可能であり得る。各リソース要素は、１つのシンボル期間において１つのサブキャリアをカバーし得、１つの変調シンボルを送るために使用され得、一つの変調シンボルは、実数値または複素数値であり得る。各シンボル期間において基準信号に対して使用されないリソース要素は、リソース要素グループ（ＲＥＧ）中に配置され得る。各ＲＥＧは、１つのシンボル期間において４つのリソース要素を含み得る。ＰＣＦＩＣＨは、シンボル期間０において４つのＲＥＧを占有し、それらは、周波数にわたってほぼ均等に間隔が空けられ得る。ＰＨＩＣＨは、１つ以上の構成可能なシンボル期間において３つのＲＥＧを占有し、それらは、周波数にわたって拡散され得る。例えば、ＰＨＩＣＨのための３つのＲＥＧは、全てシンボル期間０に属すか、またはシンボル期間０、１、および２において拡散され得る。ＰＤＣＣＨは、最初のＭ個のシンボル期間において、９、１８、３２、または６４のＲＥＧを占有し、それらは、利用可能なＲＥＧから選択され得る。ＲＥＧのある特定の組み合わせのみが、ＰＤＣＣＨに対して許可され得る。
【００２７】
[0037]ＵＥは、ＰＨＩＣＨおよびＰＣＦＩＣＨに対して使用される特定のＲＥＧを知り得る。ＵＥは、ＰＤＣＣＨのためのＲＥＧの異なる組み合わせを探索し得る。探索する組み合わせの数は典型的に、ＰＤＣＣＨに対して許可された組み合わせの数より少ない。ｅＮＢは、ＵＥが探索するであろう組み合わせのいずれかにおいて、ＵＥにＰＤＣＣＨを送り得る。
【００２８】
[0038]ＵＥは、複数のｅＮＢのカバレッジ内にあり得る。これらのｅＮＢのうちの１つは、ＵＥにサービス提供するために選択され得る。サービス提供するｅＮＢは、受信された電力、経路損失、信号対雑音比（ＳＮＲ）、等の様々な判定基準に基づいて選択され得る。
【００２９】
[0039]図３は、基地局／ｅＮＢ１１０およびＵＥ１２０の設計のブロック図を指し示し、それらは、図１中の基地局／ｅＮＢのうちの１つおよびＵＥのうちの１つであり得る。制限された関連付けシナリオでは、基地局１１０は、図１におけるマクロｅＮＢ１１０ｃであり、ＵＥ１２０はＵＥ１２０ｙであり得る。基地局１１０はまた、何らかの他のタイプの基地局であり得る。基地局１１０はアンテナ３３４ａ〜３３４ｔで装備され、ＵＥ１２０はアンテナ３５２ａ〜３５２ｒで装備され得る。
【００３０】
[0040］基地局１１０において、送信プロセッサ３２０は、データソース３１２からデータを、およびコントローラ／プロセッサ３４０から制御情報を、受け取り得る。制御情報は、ＰＢＣＨ、ＰＣＦＩＣＨ、ＰＨＩＣＨ、ＰＤＣＣＨ、等のためのものであり得る。データは、ＰＤＳＣＨ、等のためのものであり得る。プロセッサ３２０は、データシンボルおよび制御シンボルを取得するために、データおよび制御情報を、それぞれ処理（例えば、符号化およびシンボルマッピング）し得る。プロセッサ３２０はまた、例えば、ＰＳＳ、ＳＳＳ、およびセル−特有の基準信号のために基準シンボルを生成し得る。送信（ＴＸ）多入力／多出力（ＭＩＭＯ）プロセッサ３３０は、適用可能な場合、データシンボル、制御シンボル、および／または基準シンボル上で空間処理（例えばプリコーディング）を実行し得、および出力シンボルストリームを変調器（ＭＯＤ）３３２ａ〜３３２ｔに提供し得る。各変調器３３２は、出力サンプルストリームを取得するために（例えば、ＯＦＤＭ、等のための）それぞれの出力シンボルストリームを処理し得る。各変調器３３２はさらに、ダウンリンク信号を取得するために、出力サンプルストリームを処理（例えば、アナログに変換、増幅、フィルタリング、およびアップコンバート）し得る。変調器３３２ａ〜３３２ｔからのダウンリンク信号はそれぞれ、アンテナ３３４ａ〜３３４ｔを介して送信され得る。
【００３１】
[0041]ＵＥ１２０において、アンテナ３５２ａ〜３５２ｒは、基地局１１０からダウンリンク信号を受信し得、受信された信号を、それぞれ、復調器（ＤＥＭＯＤ）３５４ａ〜３５４ｒに供給し得る。各復調器３５４は、入力サンプルを取得するために、それぞれの受信された信号を調整（例えば、フィルタリング、増幅、ダウンコンバート、およびデジタル化）し得る。各復調器３５４は、受信されたシンボルを取得するために（例えば、ＯＦＤＭ、等のために）、入力サンプルをさらに処理し得る。ＭＩＭＯ検出器３５６は、全ての復調器３５４ａ〜３５４ｒから受信したシンボルを取得し、適用可能な場合、受信されたシンボル上でＭＩＭＯ検出を実行し、検出されたシンボルを提供し得る。受信プロセッサ３５８は、検出されたシンボルを処理（例えば、復調、デインタリーブ、および復号）し、ＵＥ１２０のための復号されたデータをデータシンク３６０に提供し、復号された制御情報をコントローラ／プロセッサ３８０に提供し得る。
【００３２】
[0042]アップリンク上で、ＵＥ１２０において、送信プロセッサ３６４は、データソース３６２からの（例えば、ＰＵＳＣＨのための）データ、およびコントローラ／プロセッサ３８０からの（例えば、ＰＵＣＣＨのための）制御情報を受信して処理し得る。プロセッサ３６４はまた、基準信号のための基準シンボルを生成し得る。送信プロセッサ３６４からのシンボルは、適用可能な場合、ＴＸ ＭＩＭＯプロセッサ３６６によってプリコードされ、（例えば、ＳＣ−ＦＤＭ、等のために）変調器３５４ａ〜３５４ｒによってさらに処理され、基地局１１０に送信され得る。基地局１１０において、ＵＥ１２０からのアップリンク信号は、アンテナ３３４によって受信され、復調器３３２によって処理され、適用可能な場合、ＭＩＭＯ検出器３３６によって検出され、受信プロセッサ３３８によってさらに処理されて、ＵＥ１２０によって送られた、復号されたデータおよび制御情報が取得され得る。プロセッサ３３８は、復号されたデータをデータシンク３３９に、そして復号された制御情報をコントローラ／プロセッサ３４０に提供し得る。
【００３３】
[0043]コントローラ／プロセッサ３４０および３８０は、それぞれ、基地局１１０およびＵＥ１２０における動作を指令し得る。基地局１１０におけるプロセッサ３４０および／または他のプロセッサおよびモジュールは、本明細書に記載される技法のための種々のプロセスの実施を実行し、または指令し得る。ＵＥ１２０におけるプロセッサ３８０および／または他のプロセッサおよびモジュールはまた、図５、７、および１１に例証される機能ブロック、および／または本明細書において説明される技法のための他のプロセスの実施を実行し、または指令し得る。メモリ３４２および３８２は、それぞれ、基地局１１０およびＵＥ１２０のためのデータおよびプログラムコードを記憶し得る。スケジューラ３４４は、ダウンリンクおよび／またはアップリンク上でのデータ送信のためにＵＥをスケジューリングし得る。
【００３４】
[0044]１つの構成において、ワイヤレス通信のためのＵＥ１２０は、ＵＥの接続モードの間に干渉する基地局からの干渉を検出するための手段と、干渉する基地局のもたらされたリソースを選択するための手段と、もたらされたリソース上の物理ダウンリンク制御チャネルの誤り率を取得するための手段と、および、無線リンク障害であると断定するために、所定のレベルを超える誤り率に応じて実施可能な手段とを含む。１つの態様において、前述の手段は、前述の手段によって列挙された機能を実行するように構成されたプロセッサ、コントローラ／プロセッサ３８０、メモリ３８２、受信プロセッサ３５８、ＭＩＭＯ検出器３５６、復調器３５４ａ、およびアンテナ３５２ａであり得る。別の態様において、前述の手段は、前述の手段によって列挙された機能を実行するように構成されたモジュールまたはいずれかの装置であり得る。
【００３５】
[0045]システム容量を増加させるために、全次元（ＦＤ）−ＭＩＭＯ技術が考慮されてきており、その技術において、ｅＮＢは、水平軸および垂直軸の両方を有するアンテナポートを持った多数のアンテナを有する２次元（２Ｄ）アクティブアンテナアレイを使用し、多数のトランシーバユニットを有する。従来のＭＩＭＯシステムについて、ビームフォーミングは、典型的に、３Ｄマルチパス伝搬ではあるが、方位角次元のみを使用して実装されてきた。しかしながら、ＦＤ−ＭＩＭＯについて、各トランシーバユニットは、その独自の独立した振幅と位相制御を有する。２Ｄアクティブアンテナアレイとともに、そのような能力は、従来の複数アンテナシステムにおけるように、水平方向のみに送信された信号が向けられるだけでなく、同時に水平方向および垂直方向の両方に向けられることを許容し、ｅＮＢからＵＥへのビーム方向の整形において、さらなる柔軟性を提供する。よって、ＦＤ−ＭＩＭＯ技術は、方位角ビームフォーミングおよび仰角ビームフォーミングの両方の利点を活かし得、それはＭＩＭＯシステム容量を大いに改善するであろう。
【００３６】
[0046]図４は、典型的な２Ｄアクティブアンテナアレイ４０を例証するブロック図である。アクティブアンテナアレイ４０は、６４個の送信機の、４列を備える交差偏波された均一平面アンテナアレイであり、各列は、８つの交差偏波された垂直アンテナ素子を含む。アクティブアンテナアレイは、しばしば、アンテナ列の数（Ｎ）、偏波タイプ（Ｐ）、および１つの列中の同一偏波タイプを有する垂直素子の数（Ｍ）に従って説明される。よって、アクティブアンテナアレイ４０は、４列（Ｎ＝４）を有し、８つの（Ｍ＝８）垂直な、交差偏波された（Ｐ＝２）アンテナ素子を伴う。
【００３７】
[0047]２Ｄアレイ構造について、仰角ビームフォーミングによって垂直次元を活用するために、基地局において、チャネル状態情報（ＣＳＩ）が必要とされる。プリコーディングマトリックスインジケータ（ＰＭＩ）ランクインジケータ（ＲＩ）およびチャネル品質インジケータ（ＣＱＩ）に関して、ＣＳＩは、ダウンリンクチャネル推定および予め定義されたＰＭＩコードブックに基づいて、移動局によって、基地局にフィードバックされることができる。しかしながら、従来のＭＩＭＯシステムと違って、ＦＤ−ＭＩＭＯが可能であるｅＮＢは、典型的に、より大きなスケールのアンテナシステムで装備され、よって、チャネル推定の複雑性と、過剰なダウンリンクＣＳＩ−ＲＳオーバーヘッドおよび過剰なアップリンクＣＳＩフィードバックオーバーヘッドの両方とに起因して、ＵＥからの全アレイＣＳＩの獲得は、極めて難しい。
【００３８】
[0048]ＦＤ−ＭＩＭＯについて提案されるＣＳＩフィードバックスキームは、一般的に、２つの主カテゴリー（１）２次元コードブックでプリコーディングされていないＣＳＩ−ＲＳ、（２）セル特有の仰角ビームフォーミングでビームフォーミングされたＣＳＩ−ＲＳ、に分類されることができる。一般に、２ＤコードブックでプリコーディングされていないＣＳＩ−ＲＳは、最良の性能を提供できるが、ＵＥの複雑性を大いに増加させるであろう。比較において、ビームフォーミングされたＣＳＩ−ＲＳは、より少ないＵＥ複雑性を伴うＣＳＩ−ＲＳビームインデックスの明示的または黙示的フィードバックを使用するであろう。
【００３９】
[0049]ＣＳＩ報告のためのプリコーディングマトリックス／ベクトルに対する１つの提案は、２Ｄコードブック設計について、デュアルコードブック構造を含む、ＦＤ−ＭＩＭＯに対するクロネッカー積（ＫＰ）ベースコードブック構造を使用する。ＫＰベースデュアルコードブック構造は、プリコーディングマトリックス，Ｗ
Ｗ＝Ｗ１Ｗ２、
に対する関係に基づく。ここで、Ｗ１は、ロングターム、広帯域プリコーディングマトリックスであり、Ｗ２は、サブ帯域プリコーディングマトリックスであり、こちらは、よりしばしば更新されるであろう。プリコーディングマトリックスＷ１は、式：
【数１】
0006629349.tif 000002
に従って２次元ビームのグリッドを記述する。
ここで、
【数２】
0006629349.tif 000003
および
【数３】
0006629349.tif 000004
は、方位角プリコーディングおよび仰角プリコーディングについて、隣接するディスクリートフーリエ変換（ＤＦＴ）ビームのグリッドを表わし、Ｎｂ１およびＮｂ２は、それぞれ、水平グループ当たりの、および垂直ビームグループ当たりのＤＦＴビームの数である。Ｗ２プリコーディングマトリックスは、以下の代替の設計オプションで、Ｗ１からのビーム選択および交差偏波された同相化を実行する。
完全なＫＰ：
【数４】
0006629349.tif 000005
部分的ＫＰ：
【数５】
0006629349.tif 000006
【００４０】
[0050]ＫＰベースコードブック構造について、コードブックサイズは、方位角プリコーディングベクトルの数と仰角プリコーディングベクトルの数との積に比例し得る。例えば、２Ｄアンテナアレイ（８，４，２）の６４個の送信アンテナポートについて、３２個の水平プリコーディングベクトル：｛０，１，２，３｝，｛２，３，４，５｝，｛４，５，６，７｝，・・・，｛２８，２９，３０，３１｝，｛３０，３１，０，１｝から構築された１６個のＸＨマトリックスおよび１６個の垂直プリコーディングベクトル：｛０，１｝，｛１，２｝，｛２，３｝，・・・，｛１４，１５｝，｛１５，０｝から構築された１６個のＸＶマトリックスがある。結果として、合計２５６個のＷ１マトリックスがある。Ｗ２に対して、レイヤ当たりの、およびまたは偏波当たりのビームの異なる選択が使用される場合、ＸＶからの仰角ビーム選択に対する４つの仮説（hypothesis）、およびＸＨからの方位角ビーム選択に対する１６の仮説があり、ｘ−偏波（pol）同相化は、Ｗ２に対して、合計６４の仮説の結果となるであろう。
【００４１】
[0051]特に、Ｗ２に対する大きなコードブックサイズは、ＵＥの複雑性を大いに増加させ、また、大きなフィードバックオーバーヘッドを必要とし得る。例えば、現在の説明の下、Ｗ１について８ビットが、そしてＷ２について６ビットが使用されるであろう。しかしながら、ＰＵＣＣＨ上のＣＳＩ報告に対する最大のＰＭＩペイロードサイズは、４ビットである。Ｗ１について、ＸＨおよびＸＶのグループ選択を別々にフィードバックすることが可能であり得、例えば、２サブフレーム報告からＷ１が決定される。しかしながら、Ｗ２は、ショートタームチャネル測定に基づいて、垂直ビームおよび水平ビームの共同選択を使用する。よって、Ｗ２について、２サブフレーム報告を使用することは、性能を劣化させるであろう。Ｗ２オーバーヘッドを低減するために、ＸＶにおける垂直ＤＦＴビームの数を、単一のＤＦＴビームに制限することが可能であり得るが、これは、サブ帯域方法での垂直ＰＭＩフィードバックをサポートしないであろう。１つのアプローチは、サブ帯域プリコーダＷ２に対するコードブックのサブサンプリングを実行することであるが、全てのサブ帯域に対して使用される固定されたサブサンプリングは、性能を劣化させるであろう。
【００４２】
[0052]本開示の態様は、広帯域プリコーダＷ１における２Ｄ−ＤＦＴビームのダウンサンプリングに向けられる。言い換えれば、Ｗ１は、式：
【数６】
0006629349.tif 000007
に従って、２Ｄ−ＤＦＴベースプリコーダベクトルから取られるｋ個の素子のビームフォーマを包含するように設計される。ここで、Ｇ（ｋ，Ｎｂ）は、全Ｎｂ列ＫＰ構造プリコーディングマトリックスのｋ列サブセットの低減されたＤＦＴマトリックス
【数７】
0006629349.tif 000008
を表わし、ここで、
【数８】
0006629349.tif 000009
および
【数９】
0006629349.tif 000010
ここで、
Ｎｂ＝Ｎｂ１×Ｎｂ２
言い換えれば、低減されたＤＦＴマトリックスＧ（ｋ，Ｎｂ）の列は、
【数１０】
0006629349.tif 000011
によって与えられる２Ｄ−ＤＦＴマトリックスから選択される。
【００４３】
[0053]図５は、本開示の１つの態様を実装するために実施される例となるブロックを例証するブロック図である。ブロック５００において、第１のプリコーディングマトリックスは、複数のプリコーディングマトリックスから決定され、ここにおいて、複数のプリコーディングマトリックスは、水平プリコーディングマトリックスと垂直プリコーディングマトリックスとのクロネッカー積によって構築される。例えば、複数のプリコーディングベクトルは、ＫＰ構造プリコーディングマトリックスＧ（Ｎｂ）を含む。
【００４４】
[0054]ブロック５０１において、第１のプリコーディングマトリックスの複数のプリコーディングベクトルの中から、所定の数のプリコーディングベクトルが選択される。所定の数、ｋは、ｋ個の素子のビームフォーマに対して、選択するための列の低減された数を表示する。
【００４５】
[0055]ブロック５０２において、選択された複数のプリコーディングベクトルに基づいて、広帯域プリコーディングマトリックスが生成される。ＵＥは、広帯域プリコーディングマトリックスＷ１を形成するために、完全なＫＰ構造プリコーディングマトリックス，Ｇ（Ｎｂ）から、ｋ列を選択するであろう。ブロック５０３において、ＵＥは、１つ以上のＣＳＩ報告を基地局に報告し、ここにおいて、ＣＳＩ報告は、第１のプリコーディングマトリックスに対する少なくとも１つのＰＭＩと、複数のプリコーディングベクトルの選択の少なくとも表示を含む。
【００４６】
[0056]図６Ａは、本開示の一態様に従って構成されたｋ個の素子のビームフォーマ６０１を例証するブロック図である。例証された例の目的のために、ＫＰ構造ＤＦＴマトリックス６０は、２つの隣接する垂直ＤＦＴビームおよび４つの隣接する水平ＤＦＴビームから構築された、８つの２Ｄ−ＤＦＴビームのＧ（８）グリッドである。ＫＰ構造ＤＦＴマトリックス６０，Ｇ（８）の１つの列は、２つのＤＦＴビームまたはベクトルのクロネッカー積であり、１つは垂直プリコーディングに対するもの、他は水平プリコーディングに対するもの、例えば、
【数１１】
0006629349.tif 000012
ここで、ｉ＝１・・・４およびｊ＝１・・・２、そして、低減されたＤＦＴマトリックス，Ｇ（４，８）６００は、ＫＰ構造ＤＦＴマトリックス６０，Ｇ（８）からの次元低減、例えば、合計８列から４列を選択することを実行する。
【００４７】
[0057]１つの例となる態様において、低減されたＤＦＴマトリックス，Ｇ（４，８）６００は、８つの予め定義された列ペア組み合わせ６０１、例えば、（ｅ１，ｅ２，ｅ３，ｅ４），（ｅ１，ｅ２，ｅ５，ｅ６），（ｅ１，ｅ２，ｅ７，ｅ８），（ｅ３，ｅ４，ｅ５，ｅ６），（ｅ３，ｅ４，ｅ７，ｅ８），（ｅ５，ｅ６，ｅ７，ｅ８），（ｅ１，ｅ３，ｅ５，ｅ７），および（ｅ２，ｅ４，ｅ６，ｅ８）のうちの１つを選択し、ここで、ｅｊは、
【数１２】
0006629349.tif 000013
によって定義されたＫＰ構造ＤＦＴマトリックス６０からのｊ番目の列の選択を示し、
ここで、
【数１３】
0006629349.tif 000014
および
【数１４】
0006629349.tif 000015
は、ビームコードブックのグリッドである。ペア組み合わせ６０１の最初の６つの列選択仮説は、異なる仰角プリコーディングベクトルを有する４つの２Ｄ−ＤＦＴビームを造り、一方、ペア組み合わせ６０１の最後の２つの列選択仮説は、４つ全ての選択されたＤＦＴビームに対して、同一の仰角ＤＦＴプリコーディングベクトルを使用する。
【００４８】
[0058]図６Ｂは、本開示の態様に従って構成された、例となる低減されたＤＦＴマトリックス，Ｇ（４，８）６００-Ａ−６００-Ｈを例証するブロック図である。例証された態様において、１次元のＤＦＴビームのみが、１／２だけダウンサンプルされ、例えば、
【数１５】
0006629349.tif 000016
または
【数１６】
0006629349.tif 000017
のいずれかが、ダウンサンプルされ、ここにおいて、ダウンサンプルされた素子は、クロスハッチング無しで表わされ、低減されたＤＦＴマトリックス，Ｇ（４，８）６００は、小さな数のビームを有する垂直プリコーディングマトリックスと小さな数のビームを有する水平プリコーディングマトリックスとのクロネッカー積によって、依然として表わされることができる。
【００４９】
[0059]図６Ｃは、本開示の態様に従って構成された、例となる低減されたＤＦＴマトリックス，Ｇ（４，８）６００-Ｉ−６００-Ｌを例証するブロック図である。例証された態様において、低減されたＤＦＴマトリックス，Ｇ（４，８）６００-Ｉ−６００-Ｌは、垂直プリコーディングマトリックスおよび水平プリコーディングマトリックスのクロネッカー積によって表わされることができないが、低減されたＤＦＴマトリックス，Ｇ（４，８）６００-Ｉ−６００-Ｌの各列は、垂直プリコーディングおよび水平プリコーディングに対応する２つのＤＦＴベクトルのクロネッカー積であるように、低減されたＤＦＴマトリックス，Ｇ（４，８）６００-Ｉ−６００-Ｌは、完全なＤＦＴマトリックスＧ（８）の中から４つのビームを選択する。
【００５０】
[0060]別の例となる態様において、ｋ個の素子の列選択は、
【数１７】
0006629349.tif 000018
および
【数１８】
0006629349.tif 000019
の広帯域ビームグループ選択で、共同で実行される。言い換えれば、広帯域プリコーディングマトリックスＷ１選択は、２つのステップ、例えば、最初に、より大きな数のＤＦＴビームを有するグループを選択することと、次いでｋ個の素子のみを有するサブグループをダウン選択することとに分割される。第１のグループは、ＫＰタイプ２Ｄ−ＤＦＴベースプリコーディングベクトルを包含する。広帯域プリコーディングマトリックスＷ１は、ｋ個の素子のビームフォーマを包含するであろう。ここにおいて、各ビームフォーマは、２つのＤＦＴベクトル、１つは垂直プリコーディングのためのものであり、他は水平プリコーディングのためのものである、のクロネッカー積であり得るが、Ｗ１は、ＫＰ構造を有しないかもしれない。広帯域プリコーディングマトリックスＷ１に対する第１および第２のグループ選択は、別々に、または共同で、符号化およびフィードバックされるであろう。別々のフィードバックが使用される場合、異なる報告レートが使用できるであろう。ｋ個の素子の値は、より高次のレイヤシグナリングによって、固定、または準静的のいずれかで構成されるであろう。ｋがＮｂに等しい場合、それは、Ｗ１中に広帯域列選択が存在せず、Ｗ２に対して、大きなコードブックサイズが使用されることを意味する。
【００５１】
[0061]図７は、本開示の１つの態様を実装するために実施される例となるブロックを例証するブロック図である。例となるブロックは、サブ帯域プリコーダ，Ｗ２を生成するための動作を例証する。ブロック７００において、ＵＥは、現在のチャネル条件を測定する。サブ帯域プリコーダＷ２は、ショートタームチャネル測定によって影響され、それゆえ、広帯域プリコーディングマトリックス，Ｗ１よりも、よりしばしば更新される。
【００５２】
[0062]ブロック７０１において、ＵＥは、ランクに基づいて、ｋ個の素子の広帯域プリコーディングマトリックス，Ｗ１から、１つ以上のビームを選択し、ここにおいて、選択は現在のチャネル条件に基づき、ブロック７０２において、ＵＥは、サブ帯域プリコーディングマトリックスについて、選択されたビームの偏波間で、相対的位相シフトを調整する。少なくともＧ（４，Ｎｂ）ケースについて、例えば、ランク１に対して、４つの選択仮説および４つのＱＰＳＫ同相化仮説が、Ｗ２に対する１６個のコードブックをもたらし、一方、ランク２に対して、８つの選択仮説および２つのＱＰＳＫ同相化仮説がまた、Ｗ２に対する１６個のコードブックをもたらし、Ｒｅｌ−１０の８個の送信機（８Ｔｘ）に対するＷ２が再使用できるであろう。両方のケースにおいて、Ｗ２について、サブ帯域当たり４ビットのみが必要であろう。Ｗ２に対する、より小さな数のコードブックに起因して、ＵＥの複雑性は、大いに低減される。さらにまた、ＫＰタイプＷ２コードブックについて使用される２つの別々のＨ−ＰＭＩおよびＶ−ＰＭＩの代わりに、１つのＰＭＩのみが、Ｗ２について報告される。
【００５３】
[0063]垂直プリコーディングの選択が、全てのサブ帯域に対して共通であることが可能であろうゆえに、垂直ビーム選択および水平ビーム選択に対して、異なるフィードバック粒度を使用することによって、Ｗ２についてのフィードバックオーバーヘッドのさらなる低減がまた考慮されることができるであろう。少なくともＧ（４，Ｎｂ）ケースについて、Ｗ１における４つのビームが、２つの異なる垂直プリコーディングベクトルに関連付けられている場合、同一の、または異なる垂直プリコーディングが、全てのレイヤに対して使用されるかに依存して、ランク１およびランク２にそれぞれ対して、少なくとも２つのおよび４つの垂直プリコーディング仮説が存在する。それゆえ、Ｗ２に対するビーム選択は、２つのステップ、例えば、最初に垂直プリコーディング仮説を選択すること、次いで所与の垂直プリコーディング仮説について水平プリコーディングビームを選択すること、に分割されることができる。水平プリコーディングビームの選択は、広帯域およびサブ帯域であろう。そのようなケースにおいて、Ｗ２についての全てのサブ帯域に対する垂直プリコーディング仮説の選択はまた、広帯域プリコーディングマトリックスＷ１の選択と組み合わされるであろう。さらに具体的に、広帯域プリコーディングマトリックスＷ１の選択は、２Ｄ−ＤＦＴビーム、例えば、垂直プリコーディングに対する２つのＤＦＴベクトルと、水平プリコーディングに対する４つのＤＦＴベクトルとから構築された８つのビームのグリッドを表わす。サブ帯域の全てに対する垂直プリコーディング仮説の選択は、同一のまたは垂直プリコーディングベクトルが、高次のランク送信について、または、各偏波について、全てのレイヤに、対して使用されるかを、例えば、２つのＤＦＴベクトルを使用して、４つの垂直プリコーディング仮説のうちの１つに基づいて決定する。Ｗ２についてのコードブックセットを制限するために、例えば、Ｗ２に対する６４個のコードブックの代わりに１６個のコードブックを使用して、全てのサブ帯域に対する垂直プリコーディング仮説の選択が、使用される。
【００５４】
[0064]ＫＰベースＷ１およびＷ２コードブックと比較して、ｋ個の素子のＫＰ構造ビームフォーマを有する本開示の様々な態様は、いくつかの利点を提供する。例えば、本開示の様々な態様は、広帯域プリコーディングマトリックスＷ１について、かなりの次元低減を提供し得、よって、サブ帯域プリコーダＷ２について、より小さなコードブックを許容し得る。列選択は、広帯域動作およびサブ帯域動作中に分割され、これは複雑性と性能間のトレードオフを提供する。アップリンク制御インジケータ（ＵＣＩ）オーバーヘッドはまた、低減され得、Ｗ２報告について、現存するＣＳＩフィードバックモード、例えば、最大４ビットを再使用することによって、Ｗ２について、ＰＭＩ報告が単純化される。
【００５５】
[0065]ビームフォーミングされたＣＳＩ−ＲＳベーススキームについて、ＵＥは、１つまたは複数の仰角ビームフォーミングされたＣＳＩ−ＲＳリソースを測定し、１つまたは複数のリソースの選択を示し、次に、選択されたＣＳＩ−ＲＳリソースに対応する１つまたは複数のＣＳＩを報告する。潜在的に、より大きなフィードバックオーバーヘッドに起因して、ビームフォーミングされたＣＳＩ−ＲＳベーススキームは、サブ帯域当たりの、レイヤ特有または偏波特有ＳＩ−ＲＳビームインデックス選択を効率的にはサポートしないかもしれない。例えば、４個のビームフォーミングされたＣＳＩ−ＲＳリソースシステムにおいて、これは、サブ帯域ＰＭＩ／ＣＱＩに加えて、ランク１およびランク２に対するビームインデックス選択表示について、別の４ビットのフィードバックを生じさせ得る。ＣＱＩのみのＣＳＩフィードバックモード、またはビームフォーミングされたＣＳＩ−ＲＳベーススキームに対する送信ダイバーシティ（ＴｘＤ）ＣＱＩ報告についてのサポートに関して、別の問題が発生する。目下、ＴｘＤ ＣＱＩは、２個または４個のＣＳＩ−ＲＳポートを有するＣＳＩ処理についてのみサポートされる。
【００５６】
[0066]プリコーディングされていないＣＳＩ−ＲＳに対する提案された解はまた、ビームフォーミングされたＣＳＩ−ＲＳベーススキームに拡張され得る。そのような態様において、ＵＥは、１つまたは複数の選択されたＣＳＩ−ＲＳリソースを示すために、広帯域ＣＳＩ−ＲＳビームインデックス選択ビットマップをフィードバックし得る。各選択されたＣＳＩ−ＲＳリソースについて、広帯域プリコーディングマトリックスＷ１が報告され得、ここでＷ１は、水平プリコーディングに対するＤＦＴビームのグリッドを表わす。複数のＣＳＩ−ＲＳリソースに対する広帯域プリコーディングマトリックスＷ１はまた、１つの共通Ｗ１のみが報告されるように、共同で決定されることが可能であり得る。広帯域プリコーディングマトリックスＷ１は、１つのビームフォーミングされたＣＳＩ−ＲＳリソースに関連付けられた方位角ビームフォーミングＤＦＴビームのグリッドを記述し、選択されたＣＳＩ−ＲＳリソースは、複数の可能な仰角ビームフォーミングプリコーダを示す。
【００５７】
[0067]図８は、本開示の１つの態様に従って構成される基地局８００およびＵＥ８０５を例証するブロック図である。基地局８００は、ＣＳＩ−ＲＳリソース８０１−８０４のような複数のＣＳＩ−ＲＳリソースを送信する、ビームフォーミングされたＣＳＩ−ＲＳベースＣＳＩスキームを動作し得る。ＵＥ８０５は、ＣＳＩ−ＲＳリソース８０１−８０４のロングタームチャネル品質を測定し、ショートタームチャネル状態情報およびプリコーディングを報告するために、より良い品質のＣＳＩ−ＲＳリソースを選択する。ＵＥ８０５は、ロングタームチャネル品質に基づいて、ＣＳＩ−ＲＳリソース８０１−８０４のうちの１つ以上のＣＳＩ−ＲＳリソースが選択されたことを示すビットマップ８０６を送信する。ビットマップされた「００１１」で、ＵＥ８０５は、ＣＳＩ−ＲＳリソース８０１および８０２の選択を示す。選択されたＣＳＩ−ＲＳリソースの各々について、関連付けられたＣＳＩ−ＲＳリソースのロングタームチャネル特性に基づいて、共同で、または別々に、のいずれかで、ＵＥ８０５は、ＤＦＴベースプリコーディングベクトルのビームのグリッドを表わす広帯域プリコーディングマトリックスを決定する。
【００５８】
[0068]１つの例となる態様において、複数の選択されたＣＳＩ−ＲＳリソースの広帯域プリコーディングマトリックスＷ１は、より大きなプリコーディングマトリックス中に集められ得、広帯域列選択が、ｋ個の素子のビームフォーマをダウン選択するために使用され得る。１つの例として、４個の素子のビームフォーマを有するサブサンプルされた広帯域プリコーディングマトリックスを構築するために、ＣＳＩ−ＲＳリソースと関連付けられた広帯域プリコーディングマトリックスの第１の列および第２の列ＢＩ ＃ｊおよびＢＩ ＃ｍが、選択される。サブ帯域プリコーディングマトリックスＷ２は、ｋ個の素子のビームフォーマからビーム選択をさらに実行し、ついで、２つの偏波グループ間で、量子化された同相化を実行し得る。別の例において、ｋが４に等しい場合、ランク１プリコーディングについて、４つの選択仮説があり得、サブ帯域プリコーディングに対する４つの同相化仮説は、Ｗ２サブ帯域プリコーディングについて、合計１６のコードブック仮説の結果となり得る。サブサンプリングされていない広帯域プリコーディングマトリックスと比較して、Ｗ２に対するフィードバックオーバーヘッドは、大いに低減できるであろう。ＵＥの複雑性も低減される。Ｗ２コードブックにおける、ＣＳＩ−ＲＳリソース選択およびＤＦＴビーム選択に対して異なるフィードバック粒度を使用することによって、Ｗ２コードブックフィードバックオーバーヘッドをさらに低減することが可能であり得る。言い換えれば、Ｗ２コードブックにおけるＣＳＩ−ＲＳリソースのより細やかな選択は、広帯域となり得、ＣＳＩ−ＲＳリソース当たりのＤＦＴビームの選択は、サブ帯域となり得る。そのようなケースにおいて、リソースおよびビーム選択の４ビット共同報告の代わりに、２ビットサブ帯域ビーム選択および２ビット広帯域リソース選択が、Ｗ２報告に対して使用され得る。
【００５９】
[0069]図９は、本開示の１つの態様に従って構成される基地局８００およびＵＥ８０５を例証するブロック図である。ＵＥ８０５が、ＣＳＩ−ＲＳリソース８０１−８０４のような、複数のビームフォーミングされたＣＳＩ−ＲＳリソースによる単一のＣＳＩ処理で構成されるとき、本開示の様々な態様は、ビームフォーミングされたＣＳＩ−ＲＳに対して、送信ダイバーシティ（ＴｘＤ）チャネル品質インジケータ（ＣＱＩ）報告、またはＣＱＩのみの報告をサポートし得、各リソースに関連付けられたＣＳＩ−ＲＳポートの数は、２または４に等しい。ＴｘＤ ＣＱＩ報告は、単一のＣＳＩ−ＲＳリソースまたは複数のＣＳＩ−ＲＳリソースに基づき得る。複数のＣＳＩ−ＲＳリソースが選択される場合、サブ帯域ビームインデックス（ＢＩ）を報告することが実装され得る。それゆえ、ビームフォーミングされたＣＳＩ−ＲＳに対して、少なくとも４つのＴｘＤ ＣＱＩ報告モード、例えば、広帯域ＴｘＤ ＣＱＩおよび広帯域ＢＩ ９００；サブ帯域ＴｘＤ ＣＱＩおよび広帯域ＢＩ ９０２；広帯域ＴｘＤ ＣＱＩおよびサブ帯域ＢＩ ９０３；およびサブ帯域ＴｘＤ ＣＱＩおよびサブ帯域ＢＩ ９０１があり得る。ＵＥ６０４は、ＣＳＩ−ＲＳリソース８０１−８０４のチャネル品質を測定し、測定に基づいて、最良のリソースを選択するだろう。報告のモードに基づいて、ＵＥ６０４は、広帯域および／またはサブ帯域ＣＱＩおよびＢＩを基地局８００に送信するだろう
【００６０】
[0070]図１０は、本開示の１つの態様に従って構成されるＵＥ１００４および基地局１００５を例証するブロック図である。ビームフォーミングされたＣＳＩ−ＲＳについて、ＵＥチャネル測定およびセルにおける負荷分布に基づいて、ＣＳＩ−ＲＳビームフォーミング重みが、周波数／時間ドメイン上で適応されることが可能であり得る。言い換えれば、ＣＳＩ−ＲＳプリコーディングバンドリングは、周波数ドメインおよび時間ドメインの両方上でサポートされ得る。周波数ドメイン１０００および１００１上で、バンドリングサイズは、ＣＳＩフィードバックに対するサブ帯域サイズに等しいか、固定か、システム帯域幅に依存するか、または、より高次のレイヤシグナリングによって準静的に構成されるか、のいずれかとすることができる。時間ドメイン１００２および１００３上で、バンドリングウィンドウは、Ｌ１シグナリングに基づいて、固定周期性で、または非周期性で構成され得る。ＵＥ１００４はまた、周波数ドメインまたは時間ドメイン、または両方に対して、ＣＳＩ−ＲＳプリコーディングバンドリングが、使用されるか、使用されないかのいずれかに構成され得る。
【００６１】
[0071]図１１は、本開示の１つの態様を実装するために実施される例となるブロックを例証するブロック図である。本開示の追加の態様において、ｋ個の素子のＫＰ構造ビームフォーマのダウンサンプリングがトリガーされ得るか、またはＵＥに対して構成されたＣＳＩ−ＲＳ処理に依存し得るかのように、修正された動作があるかもしれない。例えば、ブロック１１００において、ＵＥは、ＵＥのために構成されるＣＳＩ−ＲＳポートの数を決定する。ブロック１１０１において、ＵＥに対して水平ポートおよび垂直ポートの両方が構成されているかの決定がなされる。ブロック１１０３において、水平ポートのみ、または垂直ポートのみのいずれかが、ＵＥに対して構成されるとき、ＵＥは、ノーマル条件の下、完全なプリコーディングマトリックスでＣＳＩフィードバックを実行するであろう。ブロック１１０２において、決定が、水平ポートおよび垂直ポートの両方がＵＥに対して構成されていることを識別するとき、コードブックのダウンサンプリングが実施される。ダウンサンプリングを実施するための、そのようなバランスのとれたアプローチは、ＣＳＩ処理またはオーバーヘッドと性能との間の良いトレードオフを提供するであろう。
【００６２】
[0072]種々の異なる技術および技法のうちの任意のものを使用して、情報および信号が表示され得ることを、当業者は理解するであろう。例えば、上の記述全体を通して参照され得るデータ、命令、コマンド、情報、信号、ビット、シンボル、およびチップは、電圧、電流、電磁波、磁場または粒子、光電場または光粒子、またはこれらの任意の組み合わせによって表わされ得る。
【００６３】
[0073]図５、７、および１１における機能ブロックおよびモジュールは、プロセッサ、電子デバイス、ハードウェアデバイス、電子コンポーネント、論理回路、メモリ、ソフトウェアコード、ファームウェアコード、等、または、それらの任意の組み合わせを備え得る。
【００６４】
[0074]本明細書における開示に関連して説明された、様々な例証的な論理ブロック、モジュール、回路、およびプロセスステップは、電子ハードウェア、コンピュータソフトウェア、あるいは両方を組み合わせたものとして実装され得ることを、当業者はさらに認識するであろう。ハードウェアおよびソフトウェアのこの互換性を明確に例証するために、様々な例証的なコンポーネント、ブロック、モジュール、回路、およびステップが、一般にそれらの機能の観点から上記で説明されている。そのような機能がハードウェアまたはソフトウェアとして実装されるかは、システム全体に課せられた設計の制約と特定のアプリケーションに依存する。当業者は、各々の特定のアプリケーションに関して、多様な方法で説明された機能を実装することができるが、このような実装の決定は、本開示の範囲からの逸脱を引き起こしていると解釈されるべきでない。
【００６５】
[0075]本明細書における開示に関連して説明した、様々な例証的な論理ブロック、モジュール、および回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブルロジックデバイス、ディスクリートゲートまたはトランジスタロジック、ディスクリートハードウェアコンポーネント、あるいは、本明細書において説明した機能を実行するように設計されているこれらの任意の組み合わせで実装または実行され得る。汎用プロセッサは、マイクロプロセッサであり得るが、その代わりに、プロセッサは、任意の従来のプロセッサ、コントローラ、マイクロコントローラ、または状態機械であり得る。プロセッサはまた、コンピューティングデバイスの組み合わせとして、例えば、ＤＳＰとマイクロプロセッサの組み合わせ、複数のマイクロプロセッサ、ＤＳＰコアを備えた１つ以上のマイクロプロセッサ、あるいは、そのような構成の他のいずれかのものとして実装され得る。
【００６６】
[0076]本明細書における開示に関連して説明される方法またはプロセスのステップは、ハードウェアで直接的に、プロセッサによって実施されるソフトウェアモジュールで、または両者の組み合わせで、具現化され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーブバルディスク、ＣＤ−ＲＯＭ、あるいは技術的に知られている任意の他の形態の記憶媒体中に存在し得る。例示的な記憶媒体は、プロセッサが情報を記憶媒体から読み取り、情報を記憶媒体に書き込むことができるようにプロセッサに結合される。代替において、記憶媒体は、プロセッサに集積され得る。プロセッサおよび記憶媒体はＡＳＩＣ中に存在し得る。ＡＳＩＣは、ユーザ端末内に存在し得る。代替においては、プロセッサおよび記憶媒体はディスクリートコンポーネントとしてユーザ端末中に存在し得る。
【００６７】
[0077]１つ以上の例示的な設計において、説明された機能は、ハードウェア、ソフトウェア、ファームウェア、またはこれらの任意の組み合わせで実装され得る。ソフトウェアで実装される場合、機能は、１つ以上の命令またはコードとして、コンピュータ可読媒体上に記憶されることができ、あるいは、１つ以上の命令またはコードとして、コンピュータ可読媒体上に送信され得る。コンピュータ可読記憶媒体は、汎用または専用コンピュータによってアクセスされることができる任意の利用可能な媒体であり得る。制限ではなく、例として、このようなコンピュータ読取可能媒体は、ＲＡＭ、ＲＯＭ、ＥＥＰＲＯＭ、ＣＤ−ＲＯＭ、または他の光学ディスク記憶装置、磁気ディスク記憶装置または他の磁気記憶デバイス、あるいは、汎用コンピュータまたは専用コンピュータ、あるいは、汎用プロセッサまたは専用プロセッサによってアクセスされることができ、命令またはデータの形態で所望のプログラムコード手段を搬送または記憶するために使用され得る、あらゆる他の媒体を備え得る。また、非一時的な接続は、適切にはコンピュータ可読媒体の定義内に含まれ得る。例えば、命令がウェブサイト、サーバ、または同軸ケーブル、光ファイバーケーブル、ツイストペア、またはデジタル加入者ライン（ＤＳＬ）を使用している他の遠隔ソースから送信される場合には、同軸ケーブル、光ファイバーケーブル、ツイストペア、ＤＳＬは、媒体の定義に含まれる。本明細書で使用されるとき、ディスク（disk）およびディスク（disc）は、コンパクトディスク（ＣＤ）、レーザーディスク（登録商標）、光ディスク、デジタル多用途ディスク（ＤＶＤ）、フロッピー（登録商標）ディスク、およびＢｌｕ−ｒａｙ（登録商標）ディスクを含み、ここで、ディスク（disk）は通常、磁気的にデータを再生するが、ディスク（disc）は、レーザーを用いて光学的にデータを再生する。上記のものを組み合わせたものもまた、コンピュータ可読媒体の範囲内に含まれるべきである。
【００６８】
[0078]特許請求の範囲を含む本明細書において使用されるように、用語「および／または」は、２つ以上の項目のリスト中で使用されるとき、リストされた項目のうちのいずれか１つが単独で用いられることができる、またはリストされた項目のうちの２つ以上の任意の組み合わせが用いられることができることを意味する。例えば、ある構成が、コンポーネントＡ、Ｂ、および／またはＣを含むものとして説明されている場合、その構成は、Ａだけ、Ｂだけ、Ｃだけ、ＡとＢの組み合わせ、ＡとＣの組み合わせ、ＢとＣの組み合わせ、またはＡとＢとＣの組み合わせを含むことができる。また、本明細書において使用されるように、特許請求の範囲を含む、「のうちの少なくとも１つ」で始まる項目のリストで使用される「または」は、例えば「Ａ、Ｂ、またはＣのうちの少なくとも１つ」のリストが、Ａ、またはＢ、またはＣ、またはＡＢ、またはＡＣ、またはＢＣ、またはＡＢＣ（すなわち、ＡおよびＢおよびＣ）を意味するように離接的なリスト（disjunctive list）を示す。
【００６９】
[0079]本開示の先の説明は、当業者が本開示を製造または使用することを可能にするために提供される。本開示に対する様々な修正は、当業者に容易に理解され、ここで定義される一般的な原理は、本開示の主旨および範囲から逸脱することなく、他の変化に適用され得る。よって、本開示は、ここで説明される例および設計に限定されるように意図されるものではなく、本明細書において開示された原理および新規の特徴と矛盾しない最も広い範囲であると認められるべきである。
以下に、本願出願の当初の特許請求の範囲に記載された発明を付記する。
［Ｃ１］ワイヤレス通信の方法であって、
ユーザ機器（ＵＥ）のために構成されたチャネル状態情報基準信号（ＣＳＩ−ＲＳ）ポートの数を決定することと、
水平ポートおよび垂直ポートの両方を含む前記ＣＳＩ−ＲＳポートに応答して、
複数のプリコーディングマトリックスから、第１のプリコーディングマトリックスを決定することと、ここにおいて、前記複数のプリコーディングマトリックスは、水平プリコーディングマトリックスと垂直プリコーディングマトリックスとのクロネッカー積によって構築され、
前記第１のプリコーディングマトリックスの前記複数のプリコーディングマトリックスの中から所定の数のプリコーディングベクトルを選択することと、
前記選択された所定の数のプリコーディングベクトルに基づいて、広帯域プリコーディングマトリックスを生成することと、
１つ以上のＣＳＩ報告を報告することと、ここにおいて、前記１つ以上のＣＳＩ報告は、前記第１のプリコーディングマトリックスのための少なくとも１つのプリコーディングマトリックスインジケータ（ＰＭＩ）と、前記所定の数のプリコーディングベクトルの選択の少なくとも表示とを含む、を備える、方法。
［Ｃ２］前記ＣＳＩ−ＲＳポートは、水平ポートおよび垂直ポートの両方を含み、
前記方法は、
前記広帯域プリコーディングマトリックスについて、前記第１のプリコーディングマトリックスのプリコーディングベクトルの少なくとも４つの列を選択することをさらに含み、ここにおいて、前記選択することは、所定の列ペア組み合わせに基づく、［Ｃ１］に記載の方法。
［Ｃ３］前記ＣＳＩ−ＲＳポートは、水平ポートおよび垂直ポートの両方を含み、
前記方法は、
前記広帯域プリコーディングマトリックスについて、前記選択された所定の数のプリコーディングベクトルに対して、同一のまたは異なる仰角ビームフォーミングのうちの１つを使用することをさらに含む、［Ｃ２］に記載の方法。
［Ｃ４］前記ＣＳＩ−ＲＳポートは、水平ポートおよび垂直ポートの両方を含み、
前記方法は、
基地局による複数の送信に関連付けられた複数のレイヤについて、前記広帯域プリコーディングマトリックスの中から１つ以上のビームを選択することと、
サブ帯域プリコーディングマトリックスについて、前記選択された少なくとも２つのビームの偏波間で、相対的位相シフトを調整することと、
前記基地局にサブ帯域ＰＭＩを報告することと、ここで、前記サブ帯域ＰＭＩは、異なるレイヤに対する、および異なる偏波に対する前記サブ帯域プリコーディングマトリックスを構築するために、１つ以上のビームの選択を定義する、をさらに含む、［Ｃ１］に記載の方法。
［Ｃ５］［Ｃ１］ないし［Ｃ４］の任意の組み合わせの方法。
［Ｃ６］ワイヤレス通信のために構成された装置であって、
ユーザ機器（ＵＥ）のために構成されたチャネル状態情報基準信号（ＣＳＩ−ＲＳ）ポートの数を決定するための手段と、
水平ポートおよび垂直ポートの両方を含む前記ＣＳＩ−ＲＳポートに応答して実施可能であり、
複数のプリコーディングマトリックスから、第１のプリコーディングマトリックスを決定し、ここにおいて、前記複数のプリコーディングマトリックスは、水平プリコーディングマトリックスと垂直プリコーディングマトリックスとのクロネッカー積によって構築され、
前記第１のプリコーディングマトリックスの前記複数のプリコーディングマトリックスの中から所定の数のプリコーディングベクトルを選択し、
前記選択された所定の数のプリコーディングベクトルに基づいて、広帯域プリコーディングマトリックスを生成し、
１つ以上のＣＳＩ報告を報告するための手段、ここにおいて、前記１つ以上のＣＳＩ報告は、前記第１のプリコーディングマトリックスのための少なくとも１つのプリコーディングマトリックスインジケータ（ＰＭＩ）と、前記所定の数のプリコーディングベクトルの選択の少なくとも表示とを含む、を備える、装置。
［Ｃ７］前記ＣＳＩ−ＲＳポートは、水平ポートおよび垂直ポートの両方を含み、
前記装置は、
前前記広帯域プリコーディングマトリックスについて、前記第１のプリコーディングマトリックスのプリコーディングベクトルの少なくとも４つの列を選択するための手段をさらに含み、ここにおいて、前記選択するための手段は、所定の列ペア組み合わせに基づく、［Ｃ６］に記載の装置。
［Ｃ８］前記ＣＳＩ−ＲＳポートは、水平ポートおよび垂直ポートの両方を含み、
前記装置は、
前記広帯域プリコーディングマトリックスについて、前記選択された所定の数のプリコーディングベクトルに対して、同一のまたは異なる仰角ビームフォーミングのうちの１つを使用するための手段をさらに含む、［Ｃ７］に記載の装置。
［Ｃ９］前記ＣＳＩ−ＲＳポートは、水平ポートおよび垂直ポートの両方を含み、
前記装置は、
基地局による複数の送信に関連付けられた複数のレイヤについて、前記広帯域プリコーディングマトリックスの中から１つ以上のビームを選択するための手段と、
サブ帯域プリコーディングマトリックスについて、前記選択された少なくとも２つのビームの偏波間で、相対的位相シフトを調整するための手段と、
前記基地局にサブ帯域ＰＭＩを報告するための手段と、ここで、前記サブ帯域ＰＭＩは、異なるレイヤに対する、および異なる偏波に対する前記サブ帯域プリコーディングマトリックスを構築するために、１つ以上のビームの選択を定義する、をさらに含む、［Ｃ６］に記載の装置。
［Ｃ１０］［Ｃ６］ないし［Ｃ９］の任意の組み合わせの装置。
［Ｃ１１］媒体に記録されたプログラムコードを有する非一時的コンピュータ可読媒体であって、前記プログラムコードは、
コンピュータに、ユーザ機器（ＵＥ）のために構成されたチャネル状態情報基準信号（ＣＳＩ−ＲＳ）ポートの数を決定するようにさせるためのプログラムコードと、
水平ポートおよび垂直ポートの両方を含む前記ＣＳＩ−ＲＳポートに応答して、
前記コンピュータに、複数のプリコーディングマトリックスから、第１のプリコーディングマトリックスを決定するようにさせ、ここにおいて、前記複数のプリコーディングマトリックスは、水平プリコーディングマトリックスと垂直プリコーディングマトリックスとのクロネッカー積によって構築され、
前記コンピュータに、前記第１のプリコーディングマトリックスの前記複数のプリコーディングマトリックスの中から所定の数のプリコーディングベクトルを選択するようにさせるためのプログラムコードと、
前記選択された所定の数のプリコーディングベクトルに基づいて、前記コンピュータに、広帯域プリコーディングマトリックスを生成するようにさせ、
前記コンピュータに、１つ以上のＣＳＩ報告を報告するようにさせるためのプログラムコード、ここにおいて、前記１つ以上のＣＳＩ報告は、前記第１のプリコーディングマトリックスのための少なくとも１つのプリコーディングマトリックスインジケータ（ＰＭＩ）と、前記所定の数のプリコーディングベクトルの選択の少なくとも表示とを含む、を備える、非一時的コンピュータ可読媒体。
［Ｃ１２］前記ＣＳＩ−ＲＳポートは、水平ポートおよび垂直ポートの両方を含み、
前記プログラムコードは、
前記コンピュータに、前記広帯域プリコーディングマトリックスについて、前記第１のプリコーディングマトリックスのプリコーディングベクトルの少なくとも４つの列を選択するようにさせるためのプログラムコードをさらに含み、ここにおいて、前記コンピュータに、前記選択させるためのプログラムコードは、所定の列ペア組み合わせに基づく、［Ｃ１１］に記載の非一時的コンピュータ可読媒体。
［Ｃ１３］前記ＣＳＩ−ＲＳポートは、水平ポートおよび垂直ポートの両方を含み、
前記プログラムコードは、
前記コンピュータに、前記広帯域プリコーディングマトリックスについて、前記選択された所定の数のプリコーディングベクトルに対して、同一のまたは異なる仰角ビームフォーミングのうちの１つを使用するようにさせるためのプログラムコードをさらに含む、［Ｃ１２］に記載の非一時的コンピュータ可読媒体。
［Ｃ１４］前記ＣＳＩ−ＲＳポートは、水平ポートおよび垂直ポートの両方を含み、
前記プログラムコードは、
前記コンピュータに、基地局による複数の送信に関連付けられた複数のレイヤについて、前記広帯域プリコーディングマトリックスの中から１つ以上のビームを選択するようにさせるためのプログラムコードと、
前記コンピュータに、サブ帯域プリコーディングマトリックスについて、前記選択された少なくとも２つのビームの偏波間で、相対的位相シフトを調整するようにさせるためのプログラムコードと、
前記コンピュータに、前記基地局にサブ帯域ＰＭＩを報告するようにさせるためのプログラムコードと、ここで、前記サブ帯域ＰＭＩは、異なるレイヤに対する、および異なる偏波に対する前記サブ帯域プリコーディングマトリックスを構築するために、１つ以上のビームの選択を定義する、をさらに含む、［Ｃ１１］に記載の非一時的コンピュータ可読媒体。
［Ｃ１５］［Ｃ１１］ないし［Ｃ１４］の任意の組み合わせの非一時的コンピュータ可読媒体。
［Ｃ１６］ワイヤレス通信のために構成された装置であって、
前記装置は、
少なくとも１つのプロセッサと、
前記少なくとも１つのプロセッサに結合されたメモリとを備え、
ここにおいて、前記少なくとも１つのプロセッサは、
ユーザ機器（ＵＥ）のために構成されたチャネル状態情報基準信号（ＣＳＩ−ＲＳ）ポートの数を決定するように構成され、
水平ポートおよび垂直ポートの両方を含む前記ＣＳＩ−ＲＳポートに応答して、
前記少なくとも１つのプロセッサは、
複数のプリコーディングマトリックスから、第１のプリコーディングマトリックスを決定し、ここにおいて、前記複数のプリコーディングマトリックスは、水平プリコーディングマトリックスと垂直プリコーディングマトリックスとのクロネッカー積によって構築され、
前記第１のプリコーディングマトリックスの前記複数のプリコーディングマトリックスの中から所定の数のプリコーディングベクトルを選択し、
前記選択された所定の数のプリコーディングベクトルに基づいて、広帯域プリコーディングマトリックスを生成し、
１つ以上のＣＳＩ報告を報告する、ここにおいて、前記１つ以上のＣＳＩ報告は、前記第１のプリコーディングマトリックスのための少なくとも１つのプリコーディングマトリックスインジケータ（ＰＭＩ）と、前記所定の数のプリコーディングベクトルの選択の少なくとも表示とを含む、ようにさらに構成される、装置。
［Ｃ１７］前記ＣＳＩ−ＲＳポートは、水平ポートおよび垂直ポートの両方を含み、
前記装置は、
前記少なくとも１つのプロセッサが、前記広帯域プリコーディングマトリックスについて、前記第１のプリコーディングマトリックスのプリコーディングベクトルの少なくとも４つの列を選択するような構成をさらに含み、ここにおいて、前記選択は、所定の列ペア組み合わせに基づく、［Ｃ１６］に記載の装置。
［Ｃ１８］前記ＣＳＩ−ＲＳポートは、水平ポートおよび垂直ポートの両方を含み、
前記装置は、
前記少なくとも１つのプロセッサが、前記広帯域プリコーディングマトリックスについて、前記選択された所定の数のプリコーディングベクトルに対して、同一のまたは異なる仰角ビームフォーミングのうちの１つを使用するような構成をさらに含む、［Ｃ１７］に記載の装置。
［Ｃ１９］前記ＣＳＩ−ＲＳポートは、水平ポートおよび垂直ポートの両方を含み、
前記装置は、
前記少なくとも１つのプロセッサが、
基地局による複数の送信に関連付けられた複数のレイヤについて、前記広帯域プリコーディングマトリックスの中から１つ以上のビームを選択し、
サブ帯域プリコーディングマトリックスについて、前記選択された少なくとも２つのビームの偏波間で、相対的位相シフトを調整し
前記基地局にサブ帯域ＰＭＩを報告するような構成をさらに含み、ここで、前記サブ帯域ＰＭＩは、異なるレイヤに対する、および異なる偏波に対する前記サブ帯域プリコーディングマトリックスを構築するために、１つ以上のビームの選択を定義する、［Ｃ１６］に記載の装置。
［Ｃ２０］［Ｃ１６］ないし［Ｃ１９］の任意の組み合わせの装置。
【図１】
0006629349.tif 000020
【図２】
0006629349.tif 000021
【図３】
0006629349.tif 000022
【図４】
0006629349.tif 000023
【図５】
0006629349.tif 000024
【図６Ａ】
0006629349.tif 000025
【図６Ｂ】
0006629349.tif 000026
【図６Ｃ】
0006629349.tif 000027
【図７】
0006629349.tif 000028
【図８】
0006629349.tif 000029
【図９】
0006629349.tif 000030
【図１０】
0006629349.tif 000031
【図１１】
0006629349.tif 000032